(57)【要約】  一実施形態においては、本発明は、装置であって、本装置が、早漏を患っている患者の会陰の皮膚表面に取り付けるように構成されている皮膚パッチを備えており、皮膚パッチが、患者の球海綿体筋に電気インパルスを経皮的に送り込むように構成されている電極を含み、経皮的に送り込まれる電気インパルスが、早漏を治療するように構成されている、装置、を提供する。【選択図】  図１
2018535017.tif 000002
【特許請求の範囲】
【請求項１】
装置であって、前記装置が、患者の会陰の皮膚表面に取り付けるように構成されている皮膚パッチを備えており、前記皮膚パッチが、前記患者の球海綿体筋に電気インパルスを経皮的に送り込むように構成されている少なくとも１つの電極を含み、前記経皮的に送り込まれる電気インパルスが、早漏を治療するように構成されている、装置。
【請求項２】
前記電気インパルスが、前記球海綿体筋を神経支配する神経の神経筋接合部に経皮的に送り込まれる、請求項１に記載の装置。
【請求項３】
前記球海綿体筋を神経支配する前記神経が、陰部神経の運動枝である、請求項２に記載の装置。
【請求項４】
前記患者の前記会陰の前記皮膚表面に取り付けるように構成されている第１の表面と、前記第１の表面とは反対側の第２の表面であって、パッドに取り付けるように構成されている、前記第２の表面と、を有する少なくとも１つの電極、をさらに備えており、前記パッドが、前記患者の前記球海綿体筋に電気インパルスを経皮的に送り込むように構成されている電子回路および電源を備えており、前記少なくとも１つの電極の前記第１の表面の表面領域が、早漏を治療するのに十分なレベルにおいて電気インパルスを経皮的に前記患者の前記球海綿体筋に送り込むように構成されている、請求項１に記載の装置。
【請求項５】
前記少なくとも１つの電極の前記第１の表面の前記表面領域が、前記患者の坐骨海綿体筋および球海綿体筋に電気インパルスを経皮的に送り込むように構成されており、前記経皮的に送り込まれる電気インパルスが、勃起不全を治療するように構成されている、請求項１に記載の装置。
【請求項６】
前記電気インパルスが、前記坐骨海綿体筋および前記球海綿体筋を神経支配する神経の神経筋接合部に経皮的に送り込まれる、請求項５に記載の装置。
【請求項７】
前記球海綿体筋を神経支配する前記神経が、陰部神経の運動枝である、請求項６に記載の装置。
【請求項８】
前記装置が２つの電極を有する、請求項１に記載の装置。
【請求項９】
前記装置が４つの電極を有する、請求項１に記載の装置。
【請求項１０】
前記パッドが、前記患者の前記会陰全体を覆うように構成されている、請求項１に記載の装置。
【請求項１１】
前記電源が、６０分持続するように構成されている、請求項１に記載の装置。
【請求項１２】
前記少なくとも１つの電極が、前記患者の前記会陰全体を覆うように構成されている、請求項１に記載の装置。
【請求項１３】
前記経皮的に送り込まれる電気インパルスが、射精を遅らせることによって早漏を治療するように構成されている、請求項１に記載の装置。
【請求項１４】
前記経皮的に送り込まれる電気インパルスが、前記患者の前記球海綿体筋の継続的な収縮を引き起こすように構成されている、請求項１に記載の装置。
【請求項１５】
前記経皮的に送り込まれる電気インパルスが、前記坐骨海綿体筋および前記球海綿体筋の収縮性を高めることにより陰茎の硬さを増大させることによって、勃起不全を治療するように構成されている、請求項４に記載の装置。
【請求項１６】
前記経皮的に送り込まれる電気インパルスが、陰茎の静脈漏れを低減することにより陰茎の硬さを高めることによって、勃起不全を治療するように構成されている、請求項４に記載の装置。
【請求項１７】
前記坐骨海綿体筋および前記球海綿体筋の前記高められた収縮性によって、深陰茎背静脈からの血液の流出が減少することにより、陰茎の静脈漏れが低減する、請求項４に記載の装置。
【請求項１８】
前記装置が使い捨てである、請求項１に記載の装置。
【請求項１９】
方法であって、前記方法が、早漏を患っている患者を治療し、以下のステップ、すなわち、
ａ．  請求項１に記載の前記装置を、前記患者の会陰の皮膚表面に取り付けるステップと、
ｂ．  前記患者の球海綿体筋に電気インパルスを経皮的に送り込むステップであって、前記経皮的に送り込まれる電気インパルスが、早漏を治療するように構成されている、ステップと、
を含む、方法。
【請求項２０】
前記装置が、性交の前に前記患者の前記会陰の前記皮膚表面に取り付けられる、請求項１９に記載の方法。
【請求項２１】
前記電気インパルスが、前記患者が射精するまで前記患者の前記球海綿体筋に経皮的に送り込まれる、請求項１９に記載の方法。
【請求項２２】
前記電気インパルスが、前記患者が射精を望むまで前記患者の前記球海綿体筋に経皮的に送り込まれる、請求項１９に記載の方法。
【請求項２３】
前記電気インパルスが二相性対称波である、請求項１９に記載の方法。
【請求項２４】
前記電気インパルスの周波数が、１〜１００Ｈｚである、請求項１９に記載に記載の方法。
【請求項２５】
前記電気インパルスのパルス幅が、１０〜５００μｓである、請求項１９に記載の方法。
【請求項２６】
相間間隔が１〜１５０μｓである、請求項１９に記載の方法。
【請求項２７】
前記電気インパルスの電流が、１〜６０ｍＡである、請求項１９に記載の方法。
【請求項２８】
前記電気インパルスが、射精に必要である前記患者の前記球海綿体筋の律動的収縮を抑制する、請求項１９に記載の方法。
【請求項２９】
前記電気インパルスが、前記患者の前記球海綿体筋の継続的な収縮を引き起こす、請求項１９に記載の方法。
【請求項３０】
前記球海綿体筋の前記継続的な収縮が、強縮性、準強縮性、より小さい振幅を有する準強縮性収縮、継続的、および断続的、からなる群から選択される収縮である、請求項２９に記載の方法。
【請求項３１】
方法であって、前記方法が、勃起不全を患っている患者を治療し、以下のステップ、すなわち、
ａ．  請求項４に記載の前記装置を、前記患者の会陰の皮膚表面に取り付けるステップと、
ｂ．  前記患者の坐骨海綿体筋および球海綿体筋に電気インパルスを経皮的に送り込むステップであって、前記経皮的に送り込まれる電気インパルスが、勃起不全を治療するように構成されている、ステップと、
を含む、方法。
【請求項３２】
前記装置が、性交の前に前記患者の前記会陰の前記皮膚表面に取り付けられる、請求項３１に記載の方法。
【請求項３３】
前記電気インパルスが、前記坐骨海綿体筋および前記球海綿体筋を神経支配する神経の神経筋接合部に経皮的に送り込まれる、請求項３１に記載の方法。
【請求項３４】
前記電気インパルスが二相性対称波である、請求項３１に記載の方法。
【請求項３５】
前記電気インパルスの周波数が、１〜１００Ｈｚである、請求項３１に記載の方法。
【請求項３６】
前記電気インパルスのパルス幅が、１０〜５００μｓである、請求項３１に記載の方法。
【請求項３７】
相間間隔が１〜１５０μｓである、請求項３１に記載の方法。
【請求項３８】
前記電気インパルスの電流が、１〜６０ｍＡである、請求項３１に記載の方法。
【請求項３９】
前記電気インパルスが、前記患者の前記坐骨海綿体筋および前記球海綿体筋の収縮性を高める、請求項３１に記載の方法。
【請求項４０】
前記坐骨海綿体筋および前記球海綿体筋の前記高められる収縮性が、強縮性、準強縮性、より小さい振幅を有する準強縮性収縮、継続的、および断続的、からなる群から選択される収縮である、請求項３９に記載の方法。
【発明の詳細な説明】
【技術分野】
【０００１】
本発明のさまざまな実施形態は、性的機能不全を治療するための装置および方法に関する。詳細には、本発明のさまざまな実施形態は、早漏を治療するための装置および方法に関する。
【背景技術】
【０００２】
早漏の治療としては、例えば、選択的セロトニン再取り込み阻害薬（ＳＳＲＩ）、ボツリヌス毒素、および陰茎の脱感作が挙げられる。
【発明の概要】
【０００３】
一実施形態においては、本発明は、装置であって、本装置が、早漏を患っている患者の会陰の皮膚表面に取り付けるように構成されている皮膚パッチを備えており、皮膚パッチが、患者の球海綿体筋に電気インパルスを経皮的に送り込むように構成されている電極を含み、経皮的に送り込まれる電気インパルスが、早漏を治療するように構成されている、装置、を提供する。
【０００４】
一実施形態においては、電気インパルスは、球海綿体筋を神経支配する神経の神経筋接合部に経皮的に送り込まれる。一実施形態においては、球海綿体筋を神経支配する神経は、陰部神経の運動枝である。
【０００５】
一実施形態においては、本発明は、装置であって、本装置が、勃起不全を患っている患者の会陰の皮膚表面に取り付けるように構成されている皮膚パッチを備えており、皮膚パッチが、患者の坐骨海綿体筋および球海綿体筋に電気インパルスを経皮的に送り込むように構成されている電極を含み、経皮的に送り込まれる電気インパルスが、勃起不全を治療するように構成されている、装置、を提供する。
【０００６】
一実施形態においては、電気インパルスは、坐骨海綿体筋および球海綿体筋を神経支配する神経の神経筋接合部に経皮的に送り込まれる。一実施形態においては、球海綿体筋を神経支配する神経は、陰部神経の運動枝である。
【０００７】
一実施形態においては、本装置は、患者の会陰の皮膚表面に取り付けるように構成されている第１の表面と、この第１の表面とは反対側の第２の表面であって、パッドに取り付けるように構成されている、第２の表面と、を有する少なくとも１つの電極、を備えており、パッドが、患者の球海綿体筋に電気インパルスを経皮的に送り込むように構成されている電子回路および電源を備えており、少なくとも１つの電極の第１の表面の表面領域が、早漏を治療するのに十分なレベルにおいて電気インパルスを経皮的に患者の球海綿体筋に送り込むように構成されている。
【０００８】
一実施形態においては、本装置は、患者の会陰の皮膚表面に取り付けるように構成されている第１の表面と、この第１の表面とは反対側の第２の表面であって、パッドに取り付けるように構成されている、第２の表面と、を有する少なくとも１つの電極、を備えており、パッドが、患者の球海綿体筋に電気インパルスを経皮的に送り込むように構成されている電子回路および電源を備えており、少なくとも１つの電極の第１の表面の表面領域が、勃起不全を治療するのに十分なレベルにおいて電気インパルスを経皮的に患者の坐骨海綿体筋および球海綿体筋に送り込むように構成されている。
【０００９】
一実施形態においては、本装置は、２つの電極を有する。
【００１０】
一実施形態においては、本装置は、４つの電極を有する。
【００１１】
一実施形態においては、パッドは、患者の会陰全体を覆うように構成されている。
【００１２】
一実施形態においては、電源は、６０分持続するように構成されている。
【００１３】
一実施形態においては、少なくとも１つの電極は、患者の会陰全体を覆うように構成されている。
【００１４】
一実施形態においては、経皮的に送り込まれる電気インパルスは、射精を遅らせることによって早漏を治療するように構成されている。
【００１５】
一実施形態においては、経皮的に送り込まれる電気インパルスは、患者の球海綿体筋の継続的な収縮を引き起こすように構成されている。
【００１６】
一実施形態においては、経皮的に送り込まれる電気インパルスは、坐骨海綿体筋および球海綿体筋の収縮性を高めることにより陰茎の硬さを増大させることによって、勃起不全を治療するように構成されている。
【００１７】
一実施形態においては、経皮的に送り込まれる電気インパルスは、陰茎の静脈漏れ（venous leak）を低減することにより陰茎の硬さを高めることによって、勃起不全を治療するように構成されている。
【００１８】
一実施形態においては、坐骨海綿体筋および球海綿体筋の高められた収縮性によって、深陰茎背静脈からの血液の流出が減少することにより、陰茎の静脈漏れが低減する。
【００１９】
一実施形態においては、本装置は使い捨てである。
【００２０】
一実施形態においては、本発明は、方法であって、本方法が、早漏を患っている患者を治療し、以下のステップ、すなわち、（ａ）本発明のいくつかの実施形態に係る装置を、患者の会陰の皮膚表面に取り付けるステップと、（ｂ）患者の球海綿体筋に電気インパルスを経皮的に送り込むステップであって、経皮的に送り込まれる電気インパルスが、早漏を治療するように構成されている、ステップと、を含む、方法、を提供する。
【００２１】
一実施形態においては、本発明は、方法であって、本方法が、勃起不全を患っている患者を治療し、以下のステップ、すなわち、（ａ）本発明のいくつかの実施形態に係る装置を、患者の会陰の皮膚表面に取り付けるステップと、（ｂ）患者の坐骨海綿体筋および球海綿体筋に電気インパルスを経皮的に送り込むステップであって、経皮的に送り込まれる電気インパルスが、勃起不全を治療するように構成されている、ステップと、を含む、方法、を提供する。
【００２２】
一実施形態においては、本装置は、性交の前に患者の会陰の皮膚表面に取り付けられる。
【００２３】
一実施形態においては、電気インパルスは、患者が射精するまで患者の球海綿体筋に経皮的に送り込まれる。
【００２４】
一実施形態においては、電気インパルスは、患者が射精を望むまで患者の球海綿体筋に経皮的に送り込まれる。
【００２５】
一実施形態においては、電気インパルスは、二相性対称波（biphasic symmetrical wave）である。
【００２６】
一実施形態においては、電気インパルスの周波数は、１〜１００Ｈｚである。
【００２７】
一実施形態においては、電気インパルスのパルス幅は、１０〜５００μｓである。
【００２８】
一実施形態においては、相間間隔は、１〜１５０μｓである。
【００２９】
一実施形態においては、電気インパルスの電流は、１〜６０ｍＡである。
【００３０】
一実施形態においては、電気インパルスは、射精に必要である患者の球海綿体筋の律動的収縮を抑制する。
【００３１】
一実施形態においては、電気インパルスは、患者の球海綿体筋の継続的な収縮を引き起こす。
【００３２】
一実施形態においては、球海綿体筋の継続的な収縮は、強縮性、準強縮性（sub tetanic）、より小さい振幅を有する準強縮性収縮、継続的、および断続的、からなる群から選択される収縮である。
【００３３】
一実施形態においては、電気インパルスは、患者の坐骨海綿体筋および球海綿体筋の収縮性を高める。
【００３４】
一実施形態においては、坐骨海綿体筋および球海綿体筋の高められる収縮性は、強縮性、準強縮性、より小さい振幅を有する準強縮性収縮、継続的、および断続的、からなる群から選択される収縮である。
【００３５】
以下では、本発明について、添付の図面を参照しながらさらに説明する。いくつかの図すべてを通じて、類似する構造は類似する数字によって参照されている。示した図面は必ずしも正しい縮尺ではなく、一般には本発明の原理を説明することに主眼がおかれている。さらに、いくつかの特徴は、特定の構成要素の細部を示すために誇張されていることがある。
【図面の簡単な説明】
【００３６】
【図１】本発明のいくつかの実施形態に係る経皮的筋肉電気刺激装置の斜視図を示している。
【図２】本発明のいくつかの実施形態に係る経皮的筋肉電気刺激装置の上面図を示している。
【図３】本発明のいくつかの実施形態に係る経皮的筋肉電気刺激装置の側面図を示している。
【図４】本発明のいくつかの実施形態に係る経皮的筋肉電気刺激装置の分解斜視図を示している。
【図５】本発明のいくつかの実施形態に係る経皮的筋肉電気刺激装置の底面分解斜視図を示している。
【図６】本発明のいくつかの実施形態に係る経皮的筋肉電気刺激装置の底面斜視図を示している。
【図７】本発明のいくつかの実施形態に係る経皮的筋肉電気刺激装置の背面図を示している。
【図８】患者の会陰の描写と、本発明のいくつかの実施形態に係る装置が取り付けられる位置とを示している。
【発明を実施するための形態】
【００３７】
開示されている利点および改良点のうち、本発明の別の目的および利点は、添付の図面と併せて行う以下の説明から明らかになるであろう。本明細書には、本発明の詳細な実施形態が開示されている。しかしながら、開示されている実施形態は、さまざまな形で具体化することのできる本発明の単なる実例にすぎないことを理解されたい。さらに、実例を目的とする本発明のさまざまな実施形態に関連して示した各例は、本発明を制限するものではない。
【００３８】
＜例示的な実施形態の説明＞
以下では、本発明について、添付の図面を参照しながらさらに説明する。いくつかの図すべてを通じて、類似する構造は類似する数字によって参照されている。示した図面は必ずしも正しい縮尺ではなく、一般には本発明の原理を説明することに主眼がおかれている。さらに、いくつかの特徴は、特定の構成要素の細部を示すために誇張されていることがある。
【００３９】
これらの図は本明細書の一部を構成しており、本発明の実例としての実施形態を含み、実施形態のさまざまな対象物および特徴を示している。さらに、図は、必ずしも正しい縮尺ではなく、いくつかの特徴は、特定の構成要素の細部を示すために誇張されていることがある。さらに、図に示した測定値、仕様などは、実例を目的としており、本発明を制限するものではない。したがって、本明細書に開示されている構造上および機能上の特定の細部は、本発明を制限するものとしてではなく、本発明をさまざまに使用するために当業者に示す代表的な基本例として解釈されたい。
【００４０】
本明細書および特許請求の範囲の全体を通じて、以下の用語は、文脈から明らかに別の意味が示されない限りは、本明細書に明示的に関連付けられる意味をとる。本明細書において使用されている表現「一実施形態においては」および「いくつかの実施形態においては」は、必ずしも（１つまたは複数の）同じ実施形態を参照していない（同じ実施形態を参照していることもある）。さらに、本明細書において使用されている表現「別の実施形態においては」および「いくつかの別の実施形態においては」は、必ずしも異なる実施形態を参照していない（異なる実施形態を参照していることもある）。したがって、以下に説明するように、本発明のさまざまな実施形態は、本発明の範囲または要旨から逸脱することなく容易に組み合わせることができる。
【００４１】
さらに、本明細書全体を通じて、「ａ」、「ａｎ」、「ｔｈｅ」の意味は、複数の要素の参照を含む。「における」の意味は、「の中の」および「の上の」を含む。
【００４２】
球海綿体筋（Bulbocavernousus muscle）と球海綿体筋（Bulbospongiosus muscle）は、同じ筋肉を意味し、同義語として使用することができる。
【００４３】
＜装置＞
いくつかの実施形態においては、本発明は、装置であって、本装置が、早漏を患っている患者の会陰の皮膚表面に取り付けるように構成されている皮膚パッチを備えており、皮膚パッチが、患者の球海綿体筋に電気インパルスを経皮的に送り込むように構成されている電極を含み、経皮的に送り込まれる電気インパルスが、早漏を治療するように構成されている、装置、を提供する。
【００４４】
いくつかの実施形態においては、電気インパルスは、球海綿体筋を神経支配する神経の神経筋接合部に経皮的に送り込まれる。
【００４５】
いくつかの実施形態においては、球海綿体筋を神経支配する神経は、陰部神経の運動枝である。
【００４６】
一実施形態においては、本発明は、装置であって、本装置が、勃起不全を患っている患者の会陰の皮膚表面に取り付けるように構成されている皮膚パッチを備えており、皮膚パッチが、患者の坐骨海綿体筋および球海綿体筋に電気インパルスを経皮的に送り込むように構成されている電極を含み、経皮的に送り込まれる電気インパルスが、勃起不全を治療するように構成されている、装置、を提供する。
【００４７】
いくつかの実施形態においては、電気インパルスは、坐骨海綿体筋および球海綿体筋を神経支配する神経の神経筋接合部に経皮的に送り込まれる。
【００４８】
いくつかの実施形態においては、球海綿体筋を神経支配する神経は、陰部神経の運動枝である。
【００４９】
いくつかの実施形態においては、本装置は、患者の会陰の皮膚表面に取り付けるように構成されている第１の表面と、この第１の表面とは反対側の第２の表面であって、パッドに取り付けるように構成されている、第２の表面と、を有する少なくとも１つの電極、を備えており、パッドが、患者の球海綿体筋に電気インパルスを経皮的に送り込むように構成されている電子回路および電源を備えており、少なくとも１つの電極の第１の表面の表面領域が、早漏を治療するのに十分なレベルにおいて電気インパルスを経皮的に患者の球海綿体筋に送り込むように構成されている。
【００５０】
いくつかの実施形態においては、本装置は、患者の会陰の皮膚表面に取り付けるように構成されている第１の表面と、この第１の表面とは反対側の第２の表面であって、パッドに取り付けるように構成されている、第２の表面と、を有する少なくとも１つの電極、を備えており、パッドが、患者の球海綿体筋に電気インパルスを経皮的に送り込むように構成されている電子回路および電源を備えており、少なくとも１つの電極の第１の表面の表面領域が、勃起不全を治療するのに十分なレベルにおいて電気インパルスを経皮的に患者の坐骨海綿体筋および球海綿体筋に送り込むように構成されている。
【００５１】
いくつかの実施形態においては、本装置は、２つの電極を有する。
【００５２】
いくつかの実施形態においては、本装置は、４つの電極を有する。
【００５３】
図１〜図７を参照し、いくつかの実施形態においては、装置（３０）は、第１の電極（１０）と、第２の電極（１２）と、第３の電極（１４）と、第４の電極（１６）とを備えている。いくつかの実施形態においては、これら第１、第２、第３、および第４の電極は、電極パッド（２６）に取り付けられている。いくつかの実施形態においては、第１、第２、第３、および第４の電極が取り付けられている面とは反対側の電極パッド２６の面に、電子回路ハウジング（１８）およびバッテリ（２０）が位置している。いくつかの実施形態においては、第１、第２、第３、および第４の電極が取り付けられている電極パッド（２６）の面は、患者の会陰の皮膚表面に取り付けるようにさらに構成されている。
【００５４】
いくつかの実施形態においては、第１、第２、第３、および第４の電極が取り付けられている電極パッド（２６）の面は、患者の会陰の皮膚表面に接着剤によって取り付けるようにさらに構成されている。
【００５５】
いくつかの実施形態においては、パッドは、患者の会陰全体を覆うように構成されている。
【００５６】
いくつかの実施形態においては、少なくとも１つの電極は、患者の会陰全体を覆うように構成されている。
【００５７】
いくつかの実施形態においては、電極パッド（２６）は、患者の陰嚢の後面に合致する部分（２２）を有するようにさらに構成されている。いくつかの実施形態においては、電極パッド（２６）は、患者の肛門をふさがないようにさらに構成されている。いくつかの実施形態においては、電極パッド（２６）は、患者の大腿部−鼠径部の溝（thigh-groin crease）に合致するようにさらに構成されている。いくつかの実施形態においては、部分（２８）は、患者の動きとともに電極パッド（２６）が曲がることを可能にする。
【００５８】
いくつかの実施形態においては、バッテリ（２０）は、所望の電気刺激の電源であり、その一方で、電子回路ハウジング（１８）の内側のコントローラを含む電子回路が、電気インパルスのパターンを生成し、電気インパルスは、直流電流、またはさまざまな振幅および周波数の交流電流とすることができる。
【００５９】
いくつかの実施形態においては、経皮的に送り込まれる電気インパルスは、患者の射精を遅らせることによって早漏を治療するように構成されている。
【００６０】
いくつかの実施形態においては、経皮的に送り込まれる電気インパルスは、患者の球海綿体筋の継続的な収縮を引き起こすように構成されている。
【００６１】
いくつかの実施形態においては、経皮的に送り込まれる電気インパルスは、坐骨海綿体筋および球海綿体筋の収縮性を高めることにより陰茎の硬さを増大させることによって、勃起不全を治療するように構成されている。
【００６２】
いくつかの実施形態においては、経皮的に送り込まれる電気インパルスは、陰茎の静脈漏れを低減することにより陰茎の硬さを高めることによって、勃起不全を治療するように構成されている。
【００６３】
いくつかの実施形態においては、坐骨海綿体筋および球海綿体筋の高められた収縮性によって、深陰茎背静脈からの血液の流出が減少することにより、陰茎の静脈漏れが低減する。
【００６４】
いくつかの実施形態においては、第１の電極（１０）、第２の電極（１２）、第３の電極（１４）、および第４の電極（１６）は、電気刺激を患者の皮膚を介して球海綿体筋に伝える。
【００６５】
いくつかの実施形態においては、第１の電極（１０）、第２の電極（１２）、第３の電極（１４）、および第４の電極（１６）は、電気刺激を患者の皮膚を介して坐骨海綿体筋および球海綿体筋に伝える。
【００６６】
電極は、任意の適切な材料（例えば、金属、炭素、導電性ゲルなど）から作製することができる。
【００６７】
いくつかの実施形態においては、最大刺激は、患者の痛みの強さのしきい値より小さい。いくつかの実施形態においては、電気刺激の目的は、球海綿体筋の継続的な収縮を引き起こすことである。いくつかの実施形態においては、電気刺激の目的は、坐骨海綿体筋および球海綿体筋の収縮性を高めることである。
【００６８】
いくつかの実施形態においては、コントローラを含む電子回路およびバッテリ（２０）を外部環境から隔離するため、電子回路ハウジング（１８）が使用されている。いくつかの実施形態においては、起動ボタン（２４）は、性交中に患者が装置（３０）を起動することを可能にする。
【００６９】
いくつかの実施形態においては、コントローラを含む電子回路およびバッテリ（２０）を外部環境から隔離するため、電子回路ハウジング（１８）が使用されている。いくつかの実施形態においては、起動ボタン（２４）は、挿入前に患者が装置（３０）を起動することを可能にする。
【００７０】
いくつかの実施形態においては、患者は、絶縁体を取り除くことによって装置（３）を起動する。いくつかの実施形態においては、患者は、（ｉ）パッケージから装置（３０）を取り出し（パッケージから装置（３０）を取り出すときにパッチが「オフ」から「スタンバイ」に切り替わる）、次いで（ｉｉ）無線周波数信号によって装置（３０）を起動することによって、装置（３０）を起動する。
【００７１】
いくつかの実施形態においては、本装置は使い捨てである。いくつかの実施形態においては、電源は、６０分持続するように構成されている。いくつかの実施形態においては、電源は再充電可能である。いくつかの実施形態においては、本装置は、遠隔的に起動される。いくつかの実施形態においては、本装置は、少なくとも１つの電極を患者の会陰の皮膚表面に配置することによって、起動する。
【００７２】
いくつかの実施形態においては、装置（３０）は、バッテリ（２０）が使い果たされたときに廃棄される。オプションとして、本装置は、使い捨て部分と複数回使用する部分の両方を備えているように構成することができ、例えば、コントローラを含む電子回路は、再利用可能な部分とすることができる。
【００７３】
いくつかの実施形態においては、電極パッド（２６）、第１の電極（１０）、第２の電極（１２）、第３の電極（１４）、および第４の電極（１６）は、解剖学的ランドマーク（anatomical landmark）である陰嚢の後面と肛門との間、かつ鼠径部の左右の溝の間に、患者の皮膚に貼り付けられる。いくつかの実施形態においては、陰嚢に適合する湾曲状の切取り部（２２）は、陰嚢の後面に適合するように設計されており、したがって患者は、装置（３０）を正確に位置決めして、球海綿体筋と、球海綿体筋と会陰神経の筋枝の神経筋接合部とを、特に刺激することが可能である。
【００７４】
いくつかの実施形態においては、装置（３０）は、１ｍｍ〜１０ｍｍの範囲内の厚さであり、患者の肛門生殖突起間距離より短い長さであり、患者の解剖学的な大きさおよび比率に適合するのに十分に小さく、かつ、患者に不快感を与えないように十分に柔軟である。いくつかの実施形態においては、溝状切取り部（２８）は、電極パッド（２６）が患者固有の会陰の解剖学的構造および動きに合わせて容易にたわむ、曲がる、合致することができるように構成されている。
【００７５】
いくつかの実施形態においては、本装置は、患者の会陰より小さいかまたは等しい領域を覆う。
【００７６】
いくつかの実施形態においては、装置の幅は、患者の肛門生殖突起間距離より小さい５〜５０ｍｍである。
いくつかの実施形態においては、装置の長さは、患者の鼠径部の溝の距離より小さい５〜５０ｍｍである。
【００７７】
＜早漏または勃起不全を治療する方法＞
いくつかの実施形態においては、本発明は、方法であって、本方法が、早漏を患っている患者を治療し、以下のステップ、すなわち、（ａ）本発明のいくつかの実施形態に係る装置を、患者の会陰の皮膚表面に取り付けるステップと、（ｂ）患者の球海綿体筋に電気インパルスを経皮的に送り込むステップであって、経皮的に送り込まれる電気インパルスが、早漏を治療するように構成されている、ステップと、を含む、方法、を提供する。
【００７８】
いくつかの実施形態においては、本発明は、方法であって、本方法が、勃起不全を患っている患者を治療し、以下のステップ、すなわち、（ａ）本発明のいくつかの実施形態に係る装置を、患者の会陰の皮膚表面に取り付けるステップと、（ｂ）患者の坐骨海綿体筋および球海綿体筋に電気インパルスを経皮的に送り込むステップであって、経皮的に送り込まれる電気インパルスが、勃起不全を治療するように構成されている、ステップと、を含む、方法、を提供する。
【００７９】
いくつかの実施形態においては、本装置は、性交の前に患者の会陰の皮膚表面に取り付けられる。本装置は、性交の前にいつでも取り付けることができ、またはこれに代えて、性交中に取り付けることができる。患者は、取り付けた後に本装置を手動で起動することができる。またはこれに代えて、本装置を取り付けることによって、装置が起動してもよい。
【００８０】
特定の理論に制限されることを意図するものではないが、射精のプロセスは、次の２つの段階からなる。（１）放出段階：  上皮分泌物（epithelial secretion）および平滑筋の収縮によって、精液が後部尿道の中に射出される。（２）排出段階：  球海綿体筋の律動的収縮によって精液が尿道から射出される。
【００８１】
特定の理論に制限されることを意図するものではないが、経皮的に送り込まれる電気インパルスが、性交中に球海綿体筋の継続的な筋収縮を引き起こす。球海綿体筋の継続的な筋収縮を引き起こすことによって、射精時における球海綿体筋の一般的な律動的収縮が弱められる、および／または、抑制され、したがって射精を遅らせる。他の会陰筋（坐骨海綿体筋など）の電気的刺激は、早期射精を遅らせることに対するプラスの効果はない。
【００８２】
いくつかの実施形態においては、患者が射精するまで、電気インパルスが患者の球海綿体筋に経皮的に送り込まれる。
【００８３】
いくつかの実施形態においては、患者が射精を望むまで、電気インパルスが患者の球海綿体筋に経皮的に送り込まれる。
【００８４】
特定の理論に制限されることを意図するものではないが、経皮的に送り込まれる電気インパルスは、坐骨海綿体筋および球海綿体筋の収縮性を高めることにより陰茎の硬さを増大させることによって、勃起不全を治療するように構成されている。
【００８５】
特定の理論に制限されることを意図するものではないが、経皮的に送り込まれる電気インパルスは、陰茎の静脈漏れを低減することにより陰茎の硬さを高めることによって、勃起不全を治療するように構成されている。いくつかの実施形態においては、坐骨海綿体筋および球海綿体筋の高められた収縮性によって、深陰茎背静脈からの血液の流出が減少することにより、陰茎の静脈漏れが低減する。
【００８６】
いくつかの実施形態においては、電気インパルスの特性は、装置においてあらかじめプログラムされており、装置は、あらかじめプログラムされた電気インパルスを送信する。いくつかの実施形態においては、患者は、送信される特定のあらかじめプログラムされた電気インパルスを選択することができる。いくつかの実施形態においては、患者は、所望の電気インパルスを送信するように装置をプログラムすることができる。
【００８７】
いくつかの実施形態においては、電気インパルスは、二相性対称波である。いくつかの実施形態においては、電気インパルスは矩形波である。
【００８８】
いくつかの実施形態においては、電気インパルスの周波数は、１〜１００Ｈｚである。いくつかの実施形態においては、周波数は９０Ｈｚである。いくつかの実施形態においては、周波数は８０Ｈｚである。いくつかの実施形態においては、周波数は７０Ｈｚである。いくつかの実施形態においては、周波数は６０Ｈｚである。いくつかの実施形態においては、周波数は５０Ｈｚである。いくつかの実施形態においては、周波数は４０Ｈｚである。いくつかの実施形態においては、周波数は３０Ｈｚである。いくつかの実施形態においては、周波数は２０Ｈｚである。いくつかの実施形態においては、周波数は１０Ｈｚである。いくつかの実施形態においては、周波数は９Ｈｚである。いくつかの実施形態においては、周波数は８Ｈｚである。いくつかの実施形態においては、周波数は７Ｈｚである。いくつかの実施形態においては、周波数は６Ｈｚである。いくつかの実施形態においては、周波数は５Ｈｚである。いくつかの実施形態においては、周波数は４Ｈｚである。いくつかの実施形態においては、周波数は３Ｈｚである。いくつかの実施形態においては、周波数は１００Ｈｚである。いくつかの実施形態においては、周波数は２Ｈｚである。いくつかの実施形態においては、周波数は１Ｈｚである。
【００８９】
いくつかの実施形態においては、電気インパルスの位相幅は、１０〜５００μｓである。いくつかの実施形態においては、位相幅は５００μｓである。いくつかの実施形態においては、位相幅は４５０μｓである。いくつかの実施形態においては、位相幅は４００μｓである。いくつかの実施形態においては、位相幅は３５０μｓである。いくつかの実施形態においては、位相幅は３００μｓである。いくつかの実施形態においては、位相幅は２５０μｓである。いくつかの実施形態においては、位相幅は２００μｓである。いくつかの実施形態においては、位相幅は１５０μｓである。いくつかの実施形態においては、位相幅は１００μｓである。いくつかの実施形態においては、位相幅は５０μｓである。いくつかの実施形態においては、位相幅は４０μｓである。いくつかの実施形態においては、位相幅は３０μｓである。いくつかの実施形態においては、位相幅は２０μｓである。いくつかの実施形態においては、位相幅は１０μｓである。
【００９０】
いくつかの実施形態においては、相間間隔は、１〜１５０μｓである。いくつかの実施形態においては、相間間隔は１５０μｓである。いくつかの実施形態においては、相間間隔は１４０μｓである。いくつかの実施形態においては、相間間隔は１３０μｓである。いくつかの実施形態においては、相間間隔は１２０μｓである。いくつかの実施形態においては、相間間隔は１１０μｓである。いくつかの実施形態においては、相間間隔は１００μｓである。いくつかの実施形態においては、相間間隔は９０μｓである。いくつかの実施形態においては、相間間隔は８０μｓである。いくつかの実施形態においては、相間間隔は７０μｓである。いくつかの実施形態においては、相間間隔は６０μｓである。いくつかの実施形態においては、相間間隔は５０μｓである。いくつかの実施形態においては、相間間隔は４０μｓである。いくつかの実施形態においては、相間間隔は３０μｓである。いくつかの実施形態においては、相間間隔は２０μｓである。いくつかの実施形態においては、相間間隔は１０μｓである。いくつかの実施形態においては、相間間隔は９μｓである。いくつかの実施形態においては、相間間隔は８μｓである。いくつかの実施形態においては、相間間隔は７μｓである。いくつかの実施形態においては、相間間隔は６μｓである。いくつかの実施形態においては、相間間隔は５μｓである。いくつかの実施形態においては、相間間隔は４μｓである。いくつかの実施形態においては、相間間隔は３μｓである。いくつかの実施形態においては、相間間隔は２μｓである。いくつかの実施形態においては、相間間隔は１μｓである。
【００９１】
いくつかの実施形態においては、電気インパルスの電流は、１〜６０ｍＡである。いくつかの実施形態においては、電流は６０ｍＡである。いくつかの実施形態においては、電流は５５ｍＡである。いくつかの実施形態においては、電流は５０ｍＡである。いくつかの実施形態においては、電流は４５ｍＡである。いくつかの実施形態においては、電流は４０ｍＡである。いくつかの実施形態においては、電流は３５ｍＡである。いくつかの実施形態においては、電流は３０ｍＡである。いくつかの実施形態においては、電流は２５ｍＡである。いくつかの実施形態においては、電流は２０ｍＡである。いくつかの実施形態においては、電流は１５ｍＡである。いくつかの実施形態においては、電流は１０ｍＡである。いくつかの実施形態においては、電流は５ｍＡである。いくつかの実施形態においては、電流は４ｍＡである。いくつかの実施形態においては、電流は３ｍＡである。いくつかの実施形態においては、電流は２ｍＡである。いくつかの実施形態においては、電流は１ｍＡである。
【００９２】
いくつかの実施形態においては、電気インパルスは、射精に必要である患者の球海綿体筋の律動的収縮を抑制する。
【００９３】
いくつかの実施形態においては、電気インパルスは、患者の球海綿体筋の継続的な収縮を引き起こす。
【００９４】
いくつかの実施形態においては、球海綿体筋の継続的な収縮は、強縮性、準強縮性、継続的、および断続的、からなる群から選択される収縮である。
【００９５】
いくつかの実施形態においては、電気インパルスは、患者の坐骨海綿体筋および球海綿体筋の収縮性を高める。
【００９６】
いくつかの実施形態においては、坐骨海綿体筋および球海綿体筋の高められる収縮性は、強縮性、準強縮性、より小さい振幅を有する準強縮性収縮、継続的、および断続的、からなる群から選択される収縮である。
【００９７】
次に以下の例を参照する。以下の例は、本発明を制限することなく、上の説明とあわせて本発明のいくつかの実施形態を説明する。
【００９８】
＜例＞
＜例１：本発明のいくつかの実施形態に係る治療方法＞
パッチは、早漏および／または勃起不全のための、（全身性の抗うつ薬とは対照的に）局所的、かつ（抗うつ薬および脱感作剤とは対照的に）即効性／応需型の、短期的な解決策を提供する。長期的な治療効果は期待されない。
【００９９】
ケース１：  処方製品：  患者の固有な解剖学的構造に適合する事前に構成された適切なパッチを医師が患者に処方する。解剖学的な適合とは、肛門生殖突起間距離、鼠径部の溝の距離、皮膚と筋肉の間の脂肪層の厚さの、患者自身の測定値および医師によって測定される値に応じて、パッチサイズを選択することを意味する。さらに、皮膚と筋肉の間の脂肪層の厚さは、筋収縮に必要な電気刺激の強さを示すことができる。
【０１００】
例えば、一実施形態においては、１ｍｍ〜５ｍｍの脂肪層厚さを有する場合、１ｍＡ〜２０ｍＡの刺激強さ、５０μｓ〜２００μｓのパルス幅、１Ｈｚ〜１００Ｈｚの周波数が必要でありうる。
【０１０１】
別の実施形態においては、４ｍｍ〜１０ｍｍの脂肪層厚さを有する場合、１５ｍＡ〜３０ｍＡの刺激強さ、１５０μｓ〜５００μｓのパルス幅、８０Ｈｚ〜２５０Ｈｚの周波数が必要でありうる。
【０１０２】
別の実施形態においては、８ｍｍ〜２０ｍｍの脂肪層厚さを有する場合、１２ｍＡ〜５０ｍＡの刺激強さ、４００μｓ〜１０００μｓのパルス幅、２００Ｈｚ〜１ｋＨｚの周波数が必要でありうる。
【０１０３】
医師は、代用マーカー（例えば肥満度指数（ＢＭＩ：Body Mass Index）など）を使用することによって、必要な強さを推測することができる。基礎となる理論的根拠として、ＢＭＩが高いほど、皮膚と筋肉の間の脂肪層（絶縁体として作用する）が厚く、したがって効果的な筋収縮のためには、より高い刺激強さが必要である。一実施形態においては、１５〜２０のＢＭＩを有する場合、１ｍＡ〜２０ｍＡの刺激強さ、５０μｓ〜２００μｓのパルス幅、１Ｈｚ〜１００Ｈｚの周波数が必要である。別の実施形態においては、１８〜２５のＢＭＩでは、１５ｍＡ〜３０ｍＡの刺激強さ、１５０μｓ〜５００μｓのパルス幅、８０Ｈｚ〜２５０Ｈｚの周波数が必要である。さらに別の実施形態においては、２２〜３０のＢＭＩでは、１２ｍＡ〜５０ｍＡの刺激強さ、４００μｓ〜１０００μｓのパルス幅、２００Ｈｚ〜１ｋＨｚの周波数が必要である。
【０１０４】
ケース２：  処方箋なしでの製品：  製品を処方箋なしで（ＯＴＣ）購入する場合、使用者は、自分の適切な刺激強さを選択できなければならない。ＢＭＩなどの代用マーカーは、容易に計算される、またはあらかじめ定義された表において認識され、必要な刺激強さを示すことができる。
【０１０５】
一実施形態においては、性交の直前にパッチを会陰の皮膚に貼り付けることができる。別の実施形態においては、性交の１〜６０分前にパッチを会陰の皮膚に貼り付けることができる。さらに別の実施形態においては、性交の１〜１２時間前にパッチを会陰の皮膚に貼り付けることができる。使用者は、挿入の前（または後）に電気刺激を起動すればよい。この特徴によって、自発性を保つことができる。
【０１０６】
一実施形態においては、パッチは、１〜５分、電気刺激を生成することができる。別の実施形態においては、パッチは、４〜１５分、電気刺激を生成することができる。さらに別の実施形態においては、パッチは、１０〜６０分、電気刺激を生成することができる。
【０１０７】
当業者には、ここまで詳しく図示および説明してきた内容に本発明が制限されないことが理解されるであろう。本発明の範囲には、上に記載したさまざまな特徴すべての組合せおよび一部の組合せと、上の説明を読み進めたときに当業者によって認識される、従来技術ではない変形形態および修正形態の両方が含まれる。
【０１０８】
本文書の全体を通じて引用されている刊行物は、その全体が参照により本明細書に組み込まれている。ここに開示される実施形態のさまざまな態様を、例および好ましい実施形態を参照して上に説明してきたが、ここに開示される実施形態の範囲は、上記の説明によってではなく、特許法の原則の下で正しく解釈される以下の特許請求の範囲によって定義されることを理解されたい。
【０１０９】
さらに、本出願において参考文献が引用または識別されていることは、そのような参考文献が、ここに開示されている実施形態の従来技術として利用可能であることを認めるものとして解釈されない。セクションの見出しが使用されている場合、それらの見出しは必ずしも本発明を制限するものとして解釈されない。
【０１１０】
＜関連出願＞
本出願は、米国仮特許出願第６２／２５９，９６０号（出願日：２０１５年１１月２５日）および米国仮特許出願第６２／３７７，０１０号（出願日：２０１６年８月１９日）の優先権を主張し、これらの文書の開示内容全体は参照により本明細書に組み込まれている。
【図１】
2018535017.tif 000003
【図２】
2018535017.tif 000004
【図３】
2018535017.tif 000005
【図４】
2018535017.tif 000006
【図５】
2018535017.tif 000007
【図６】
2018535017.tif 000008
【図７】
2018535017.tif 000009
【図８】
2018535017.tif 000010
【国際調査報告】
2018535017.tif 000011